(57)【特許請求の範囲】
【請求項１】
各々の両側部で繋がる前壁部と背壁部と、前記前壁部または前記背壁部に設けられた前壁部と背壁部との間を脹らませるための折り込み部と、前記前壁部と前記背壁部とを平らに合わせた状態で折り畳み可能となるように前壁部と背壁部とに設けられた折り線とから成る折り畳み式のスタンド型表示体に於いて、背壁部側の前記折り線の左右の端部に、前記折り線から折り畳んだ際に前記折り線の部分に生ずる膨らみを逃がすための、前記両側部の各々の側に至る切り込み部が設けられていることを特徴とする、折り畳み式のスタンド型表示体。
【発明の詳細な説明】
【技術分野】
【０００１】  この発明は前壁部と背壁部との間を脹らませて自立出来るようにし且つ収納時や運搬時には折り畳んで小さくすることが出来るようにした、スタンド型表示体に関する。
【背景技術】
【０００２】  紙製の円筒などでは両側から均一に圧力が加えられると平面状に潰れることが知られている。この加圧方向とは直角の両側部方向からの圧力によって元の円筒に近い形状に復元させることが出来る。この原理を応用して、前記平面状のものの上下端部を外側に突出する円弧状に成形し、この円弧状の突出片をやはり円弧状の折り線を付けるようにして内側へ折り込むことによって、円筒に近い形状のものを形成することが出来る。【０００３】  このようにして形成される略円筒は、図面などの書類を丸めて入れる紙管などとして利用されている。【０００４】  ところでこのような略円筒を立ててスタンド型表示体として利用しようと考えた時に問題となるのがその両端部の円弧部分であり、このままでは自立させることが出来ないため、この少なくとも下側と成る端部を略円筒に対して直角に切断したものとしなくてはならない。すると前記円弧状の突出片に代わって略円筒形状を保つものを端部にではなく中側に設ける必要がある。
【特許文献１】特になし
【発明の開示】
【発明が解決しようとする課題】
【０００５】  さてこのようにして形成されるスタンド型表示体であるが、小は商品の宣伝用スタンドから大は等身大あるいはそれ以上の大型の広告塔などへの用途がある。しかしながら大型のものになればなるほど、運搬時や収納時に嵩張り取り扱いが容易でないと言う問題を生ずる。【０００６】  従ってこの発明では、運搬や収納が楽であり且つ組み立てや撤去が容易であるようなスタンド型表示体の提供を課題とする。
【課題を解決するための手段】
【０００７】  上記課題は、各々の両側部で繋がる前壁部と背壁部と、前記前壁部または前記背壁部に設けられた前壁部と背壁部との間を脹らませるための折り込み部と、前記前壁部と前記背壁部とを平らに合わせた状態で折り畳み可能となるように前壁部と背壁部とに設けられた折り線とから成る折り畳み式のスタンド型表示体に於いて、背壁部側の前記折り線の左右の端部に、前記折り線から折り畳んだ際に前記折り線の部分に生ずる膨らみを逃がすための、前記両側部の各々の側に至る切り込み部が設けられていることを特徴とする、折り畳み式のスタンド型表示体とすることによって達成される。前壁部と背壁部とが両側部で繋がっていると言う場合、前壁部と背壁部とが別体でありそれ等が重合されて両側部で接着や蝶番止めが為されているもの、２つ折りによって前壁部と背壁部とが形成され両端部が接着されているもの、円筒を平らに潰して両側の折り目から前壁部と背壁部とが形成されているものなどを上げることが出来る。前壁部や背壁部の素材は任意であり、紙、合成樹脂板、金属板、木板等を必要に応じて選択したり混用することが可能である。また前記折り込み部、すなわち折り込み片は横向きだけでなく縦向きに形成することも可能である。【０００８】  前記折り込み部を内側へ折り込むと折り込み片が形成されるが、この折り込み片が相対する側の壁部を押すため、前壁部と背壁部との間隔がこの折り込み片の分だけ開いて結果的に膨らみ立体化しこれにより全体が自立可能な状態と成る。
また膨らみが円に近くなるほど剛性が大きくなるため丈の高いものを提供することが出来る。前記折り込み部は前壁部または背壁部に折り込み片が形作られるようにその周囲に切り込みを設けて成るものであり、実質的に単なる切り込み片であるため、幾つ設けても重量が増加したり重心位置が変化するようなことが起こらず、追加部品を必要とせず、コストが安いと言う特長を有する。なお前記折り込み部の折り目と成る部位をミシン目として構成してもよい。【０００９】  また前記内側へ折り込まれた折り込み部を元の状態に引き戻すことによって、前記前壁部と前記背壁部とを合わせた平らな状態にすることが出来る。更に前記折り線から折り返すことにより、全体をコンパクトに折り畳んで運搬したり収納したりすることが出来るように成る。この折り畳みの際に、前壁部と背壁部とが両側部で繋げられたものを折り返そうとすると、前記折り線の部分が膨らんで全く平らな状態に折り畳むことが出来にくく成ることがあるが、こうした場合でも背壁部側の前記折り線の左右の端部に前記両側部の各々の側に至る切り込み部を設けることによって、この膨らみを逃がすことが出来るのである。３つ折り以上に折り畳む場合にも有効である。
【発明の効果】
【００１０】  以上この発明は、各々の両側部で繋がる前壁部と背壁部と、前記前壁部または前記背壁部に設けられた前壁部と背壁部との間を脹らませるための折り込み部と、前記前壁部と前記背壁部とを平らに合わせた状態で折り畳み可能となるように前壁部と背壁部とに設けられた折り線とから成る折り畳み式のスタンド型表示体に於いて、背壁部側の前記折り線の左右の端部に、前記折り線から折り畳んだ際に前記折り線の部分に生ずる膨らみを逃がすための、前記両側部の各々の側に至る切り込み部が設けられていることを特徴とする、折り畳み式のスタンド型表示体としたものである。前記折り線から折り返すことによって全体をコンパクトに折り畳むことが出来る。特に背壁部側の前記折り線の左右の端部に前記両側部の各々の側に至る切り込み部が設けられていることにより、前記折り線の部分に膨らみが生じた場合でもこれを逃がして平らな状態に折り畳むことが出来る効果がある。【００１１】  この結果、運搬や収納が楽であり組み立てや撤去が容易であるようなスタンド型表示体を提供することに成功し、所期の目的を達成している。
【発明を実施するための最良の形態】
【００１２】  以下ではこの発明の一実施形態に付いて図面を参照しながら説明するが、この発明はこの実施形態にのみ限定されるものではない。【００１３】  この実施形態のスタンド型表示体は、１枚の厚紙をその両側部で接着して筒状に成形すると共に、この接着部を一側としてこの筒状体を潰して前壁部１と背壁部２とを形成して成るものである。図中の符号１０は前記前壁部１の頂部が背壁部２の頂部（実は後述する折り込み部２０のラインである）よりも突出された冠部１０を指す。また前壁部１と背壁部２とが潰れた平面状体の時に２つ折り可能と成るように中央部に折り線３が設けられている。この折り線３の左右の端部には、前記両側部の各々の側に至る切り込み部３２，３２が設けられている。更に背壁部２の中央部には、下側の折り込み部２３と両側および上側の切り込み溝２４とから構成される折り込み片２５が設けられている。同様に前記背壁部２の頂部には折り込み部２０が形成されている。【００１４】  前壁部１と背壁部２とが潰れた平面状体では、前記折り線３から２つ折りにすることが出来る。この状態から図１に示す立体構造に変化させるには、まず前記折り線３からの２つ折りを解いて細長い状態にして、次に前記折り込み片２５を折り込み部２３から内側に折り込むようにすると、折り込み片２５の先端部が前壁部１の背面壁を押して前壁部１と背壁部２との間を膨らませるように作用する。同様に前記背壁部２の頂部が折り込み部２０から内側に折り込まれることによって、折り込み片２２の先端部の突き当て部２１が前壁部１の背面壁を押して前壁部１と背壁部２との間を膨らませるように作用する。これによりこの実施形態のスタンド型表示体を自立させることが出来るのである。【００１５】  またこの状態から折り畳むには先ほどと逆の手順で、まず前記折り込み片２５を引き出して、前壁部１と背壁部２との間を潰し平面状体とし、前記折り線３から２つ折りにすればよい。この際に前記折り線３の左右の端部に前記両側部の各々の側に至る切り込み部３２が設けられていることによって折り畳んだ時のテンションを逃がすことが出来るように成っている。すなわち前壁部１と背壁部２とが両側部分で繋げられたものを折り返そうとすると、前壁部１と背壁部２とが同一の大きさでその両側部で繋げられているため、前記折り線３の部分が膨らんで全く平らな状態に折り畳むことが出来にくく成る場合があるが、この問題を緩和するのがこの実施形態の折り線３及び左右の切り込み部３２，３２なのである。【００１６】  このように２つ折りにして平らにすることが可能になっているので、単に前壁部１と背壁部２との間を潰しただけのものとは異なり運搬や収納が容易である。なおこの実施形態では前記折り込み部２３の端部が前記両側部より内側に設けられている。これは内側へ折り込みやすくするための工夫であるが、この部位が前記折り込み部２１のように両側部に至るように形成してもよいことは言うまでもない。
【産業上の利用可能性】
【００１７】  なおこの発明は上述の実施形態に限定されないから、例えば前記前壁部または前記背壁部にこの壁部が湾曲した時に壁部の一部を浮き出させるための切り込み部を設けることが可能である。また湾曲する壁部分に平板を貼り付けるなどしてこの平面を宣伝に利用することが可能である。
【図面の簡単な説明】
【００１８】
【図１】第１実施形態の斜視図である。
【符号の説明】
【００１９】  １    前壁部
１０  冠部
２    背壁部
２０  折り込み部
２１  突き当て部
２２  折り込み片
２３  折り込み部
２４  切り込み溝
２５  折り込み片
３    折り線
３２  切り込み部
【図１】
0004491781.tif 000002